(57)【要約】      （修正有）【課題】一台の撮像装置を複数人で共有して使用するケースにおいて、ユーザ毎に予め配分された使用可能容量を増やすことが可能な仕組みを提供する。【解決手段】撮像装置において、撮像装置を使用するユーザ情報と、画像データの消去を実行するためパスワード情報とを受け付け、受け付けたユーザ情報及びパスワード情報が、ユーザ情報管理手段及びパスワード情報管理手段にそれぞれ管理されているかを認証し、それぞれ管理されていると認証される場合には、画像データ記憶手段からパスワード情報管理手段が管理するパスワード情報に対応づけられている画像データの消去を実行し、かつ、受け付けたユーザ情報に該当しユーザ情報管理手段が管理するユーザに配分されているユーザ別使用容量に、消去が実行された画像データの容量を追加した新規のユーザ別の使用容量を許可する。【選択図】図５
2015102885.tif 000002
【特許請求の範囲】
【請求項１】
取得した画像データを画像データ記憶手段に記憶する撮像装置であって、
前記画像データ記憶手段に記憶許可する容量を、前記撮像装置を使用するユーザ毎に配分したユーザ別使用容量を管理するユーザ情報管理手段と、
前記画像データ記憶手段に記憶されている画像データから消去される画像データと、当該画像データの消去を実行するためのパスワード情報とを対応づけて管理するパスワード情報管理手段と、
前記撮像装置を使用するユーザ情報と、前記画像データの消去を実行するためパスワード情報とを受け付ける受付手段と、
前記受け付けたユーザ情報及びパスワード情報が、前記ユーザ情報管理手段及び前記パスワード情報管理手段にそれぞれ管理されているかを認証する認証手段と、
前記認証手段によってそれぞれ管理されていると認証される場合には、前記画像データ記憶手段から前記パスワード情報管理手段が管理するパスワード情報に対応づけられている画像データの消去を実行し、かつ、前記受け付けたユーザ情報に該当し前記ユーザ情報管理手段が管理するユーザに配分されているユーザ別使用容量に、前記消去が実行された画像データの容量を追加した新規のユーザ別の使用容量を許可する使用許可手段と、
を備えることを特徴とする撮像装置。
【請求項２】
前記撮像装置の管理者情報を管理する管理者情報管理手段と、
前記受け付けたユーザ情報に従って前記管理者情報管理手段に管理されている管理者であるかを認証する管理者認証手段と、
前記管理者認証手段によって前記撮像装置の管理者であると認証される場合に、前記パスワード情報管理手段が管理する画像データとパスワード情報と指定するパスワード情報指定手段と、
を備えることを特徴とする請求項１に記載の撮像装置。
【請求項３】
前記認証したユーザにより前記画像データ記憶手段に逐次記憶された容量が、前記ユーザ情報管理手段に管理されているユーザ別使用容量に到達または超過するかを判定する使用容量判定手段と
前記使用容量判定手段によって到達または超過すると判定される場合には、前記受付手段がパスワード情報を受け付けるための画面を表示するパスワード情報受付手段と、
を備えることを特徴とする請求項１または請求項２に記載の撮像装置。
【請求項４】
前記ユーザ情報管理手段が管理するユーザ別使用容量は前記撮像装置の中に内蔵されている画像データ記憶手段に記憶する容量であることを特徴とする請求項１乃至請求項３のいずれか１項に記載の撮像装置。
【請求項５】
取得した画像データを画像データ記憶手段に記憶し、前記画像データ記憶手段に記憶許可する容量を、前記撮像装置を使用するユーザ毎に配分したユーザ別使用容量を管理するユーザ情報管理手段と、前記画像データ記憶手段に記憶されている画像データから消去される画像データと、当該画像データの消去を実行するためのパスワード情報とを対応づけて管理するパスワード情報管理手段とを備える撮像装置の制御方法であって
前記撮像装置の受付手段が、前記撮像装置を使用するユーザ情報と、前記画像データの消去を実行するためパスワード情報とを受け付ける受付工程と、
前記撮像装置の認証手段が、前記受け付けたユーザ情報及びパスワード情報が、前記ユーザ情報管理手段及び前記パスワード情報管理手段にそれぞれ管理されているかを認証する認証工程と、
前記撮像装置の使用許可手段が、前記認証工程によってそれぞれ管理されていると認証される場合には、前記画像データ記憶手段から前記パスワード情報管理手段が管理するパスワード情報に対応づけられている画像データの消去を実行し、かつ、前記受け付けたユーザ情報に該当し前記ユーザ情報管理手段が管理するユーザに配分されているユーザ別使用容量に、前記消去が実行された画像データの容量を追加した新規のユーザ別の使用容量を許可する使用許可工程と、
含むことを特徴とする制御方法。
【請求項６】
取得した画像データを画像データ記憶手段に記憶する撮像装置が読み取り実行可能なプログラムであって
前記撮像装置を、
前記画像データ記憶手段に記憶許可する容量を、前記撮像装置を使用するユーザ毎に配分したユーザ別使用容量を管理するユーザ情報管理手段と、
前記画像データ記憶手段に記憶されている画像データから消去される画像データと、当該画像データの消去を実行するためのパスワード情報とを対応づけて管理するパスワード情報管理手段と、
前記撮像装置を使用するユーザ情報と、前記画像データの消去を実行するためパスワード情報とを受け付ける受付手段と、
前記受け付けたユーザ情報及びパスワード情報が、前記ユーザ情報管理手段及び前記パスワード情報管理手段にそれぞれ管理されているかを認証する認証手段と、
前記認証手段によってそれぞれ管理されていると認証される場合には、前記画像データ記憶手段から前記パスワード情報管理手段が管理するパスワード情報に対応づけられている画像データの消去を実行し、かつ、前記受け付けたユーザ情報に該当し前記ユーザ情報管理手段が管理するユーザに配分されているユーザ別使用容量に、前記消去が実行された画像データの容量を追加した新規のユーザ別の使用容量を許可する使用許可手段と、
して機能させることを特徴とするプログラム。
【発明の詳細な説明】
【技術分野】
【０００１】
本発明は、撮像装置、およびその制御方法、とプログラムに関する。
【背景技術】
【０００２】
現状、デジタル一眼レフカメラやデジタルビデオカメラは高価であり、スマートフォン等のように一人一台ではなく一家に一台の割合で普及している。その為、家族間でカメラの貸し借りが頻繁に行われている。また、知人との間でカメラの貸し借りが行われる事もある。
【０００３】
特許文献１には、複数のメディア装着部に装着された個々の記録メディアがＲＡＩＤ記録方式によりアクセス可能であるか否かの認証を記憶されたパスワードを用いて行い、アクセス可能であると認証された場合に、各記録メディアに対してＲＡＩＤ記録方式によるデータの読み書きを行う技術が開示されている。
【先行技術文献】
【特許文献】
【０００４】
【特許文献１】特開２００６−２９３７４５号公報
【発明の概要】
【発明が解決しようとする課題】
【０００５】
デジタル一眼レフカメラやデジタルビデオカメラを家族または知人に貸与する際、メモリカードについて考慮する必要がある。既にメモリカード上に保存しているデータを編集されたくない場合や、空き容量限界まで使ってほしくない場合が考えられる。上記問題を解決するためには、別のメモリカードを用意したり、使用してもよい容量を伝えておく必要がある。しかし、別のメモリカードを用意しておくには、メモリカードの購入及び複数枚のメモリカードの管理が必要になる。また、使用可能容量を伝えられたとしても、カメラ使用時に常に容量の事を気にしている必要がある。
【０００６】
例えば献１のように個々の記録メディアにクセス可能パスワードを設定しても、一台の撮像装置を複数人で共有して使用するケースにおいて、現在使用しているユーザに予め配分された撮像データを保存できる容量がもし足らなくなってしまった時には対応ができない。
【０００７】
本発明は、一台の撮像装置を複数人で共有して使用するケースにおいて、現在使用しているユーザに予め配分された撮像データを保存できる容量がもし足らなくなってしまった時にその場でユーザ毎に予め配分された使用可能容量を増やすことが可能な仕組みを提供することを目的とする。
【課題を解決するための手段】
【０００８】
本発明は、取得した画像データを画像データ記憶手段に記憶する撮像装置であって前記画像データ記憶手段に記憶許可する容量を、前記撮像装置を使用するユーザ毎に配分したユーザ別使用容量を管理するユーザ情報管理手段と、前記画像データ記憶手段に記憶されている画像データから消去される画像データと、当該画像データの消去を実行するためのパスワード情報とを対応づけて管理するパスワード情報管理手段と、前記撮像装置を使用するユーザ情報と、前記画像データの消去を実行するためパスワード情報とを受け付ける受付手段と、前記受け付けたユーザ情報及びパスワード情報が、前記ユーザ情報管理手段及び前記パスワード情報管理手段にそれぞれ管理されているかを認証する認証手段と、前記認証手段によってそれぞれ管理されていると認証される場合には、前記画像データ記憶手段から前記パスワード情報管理手段が管理するパスワード情報に対応づけられている画像データの消去を実行し、かつ、前記受け付けたユーザ情報に該当し前記ユーザ情報管理手段が管理するユーザに配分されているユーザ別使用容量に、前記消去が実行された画像データの容量を追加した新規のユーザ別の使用容量を許可する使用許可手段と、を備えることを特徴とする。
【０００９】
また、前記撮像装置の管理者情報を管理する管理者情報管理手段と、前記受け付けたユーザ情報に従って前記管理者情報管理手段に管理されている管理者であるかを認証する管理者認証手段と、前記管理者認証手段によって前記撮像装置の管理者であると認証される場合に、前記パスワード情報管理手段が管理する画像データとパスワード情報と指定するパスワード情報指定手段と、を備えることを特徴とする。
【００１０】
また、前記認証したユーザにより前記画像データ記憶手段に逐次記憶された容量が、前記ユーザ情報管理手段に管理されているユーザ別使用容量に到達または超過するかを判定する使用容量判定手段と前記使用容量判定手段によって到達または超過すると判定される場合には、前記受付手段がパスワード情報を受け付けるための画面を表示するパスワード情報受付手段と、を備えることを特徴とする。
また、前記ユーザ情報管理手段が管理するユーザ別使用容量は前記撮像装置の中に内蔵されている画像データ記憶手段に記憶する容量であることを特徴とする。
【発明の効果】
【００１１】
本発明により、一台の撮像装置を複数人で共有して使用するケースにおいて、現在使用しているユーザに予め配分された撮像データを保存できる容量がもし足らなくなってしまった時にその場でユーザ毎に予め配分された使用可能容量を増やすことが可能な仕組みを提供することが可能となる。
【図面の簡単な説明】
【００１２】
【図１】本発明の撮像装置のハードウェア構成図の一例を示す図である。
【図２】本発明のシステムコントローラのハードウェア構成図の一例を示す図である。
【図３】本発明の撮像装置の画面遷移の一例を示す図である。
【図４】本発明の撮像装置の画面遷移の一例を示す図である。
【図５】本発明の撮像装置の画面遷移の一例を示す図である。
【図６】本発明の撮像装置が実行するフローチャートを示す図である。
【図７】本発明の撮像装置が実行するフローチャートを示す図である。
【図８】本発明の撮像装置が実行するフローチャートを示す図である。
【図９】本発明の撮像装置が管理するデータベースを示す図である。
【発明を実施するための形態】
【００１３】
以下、図面を参照して、本発明の実施形態を詳細に説明する。
図１を説明する。
図１は本発明の撮像装置（デジタルカメラ）１００のハードウエア構成を示す図である。
【００１４】
デジタルカメラ１００は、いわゆるデジタルカメラから成り、撮影用のレンズ１０１、撮像素子（以下、「ＣＣＤ」と称する）１０２、カメラ信号処理部（以下、「ＡＤＣ」と称する）１０３、画像処理部１０４、システムコントローラ１１０、バッファメモリ１１１、フラッシュＲＯＭ１１２、インターフェース回路（以下、「Ｉ／Ｆ回路」と称する）１１３、カードホルダ１１４、メモリカード１１５、ディスプレイドライバ１１６、および操作部１２０を備える。
【００１５】
レンズ１０１は、レンズ等であり、対物レンズ、ズームレンズ、およびフォーカスレンズなどで構成される。ズームレンズおよびフォーカスレンズについては、不図示の駆動機構により光軸方向へ駆動される。撮像素子１０２は、レンズ１０１から入射した撮像光を結像し、電気信号（アナログ信号）に変換して出力するＣＣＤイメージセンサで構成される。
【００１６】
カメラ信号処理部（ＡＤＣ）１０３は、撮像素子１０２から受けた電気信号にデジタル変換やホワイトバランス調整などの信号処理を行なって、デジタル信号に変換する機能を有する。システムコントローラ１１０は、画像処理部１０４、バッファメモリ１１１、フラッシュＲＯＭ１１２、Ｉ／Ｆ回路１１３、ディスプレイドライバ１１６、サウンドドライバ１１８、レンズ制御部１２７、ＬＥＤドライバ１２８、および操作部１２０に接続されている。
【００１７】
画像処理部１０４は、前処理部１０５、ＹＣ処理部１０６、電子ズーム処理部１０７、圧縮部１０８、および伸長部１０９を備え、カメラ信号処理部１０３から出力されるデジタル信号から画像データを生成し、各種画像処理を行う機能を有する。
【００１８】
前処理部１０５は、入力される画像データに基づく画像のホワイトバランスを調整するホワイトバランス処理や画像のガンマ補正処理を行う機能を有する。ホワイトバランス処理は、画像の色合いを、実物の色合いに近くなるように調整したり、光源（蛍光灯や太陽光など）に合った適正な色に調整したりする処理である。ガンマ補正処理は、画像のコントラストを調整する処理である。なお、前処理部１０５は、ホワイトバランス処理およびガンマ補正処理以外の画像処理を実行することも可能である。
【００１９】
ＹＣ処理部１０６は、入力される画像データに基づく画像を、輝度情報「Ｙ」と、輝度信号と青色の色差情報「Ｃｂ」と、輝度信号と赤色の色差情報「Ｃｒ」とに分離する機能を有する。電子ズーム処理部１０７は、画像の一部（例えば中央部）を所定の大きさでトリミングし、トリミングした画像を信号処理で元画像の大きさに拡大する機能を有する。
電子ズーム処理部１０７は、例えば、撮影された１６００×１２００ドットの画像から
中央の１０２４×７６８ドットの画像を切り出し、データ補間を行いながら１６００×１２００ドットのサイズに拡大することができる。
【００２０】
圧縮部１０８は、画像データをＪＰＥＧ（Ｊｏｉｎｔ  Ｐｈｏｔｏｇｒａｐｈｉｃ  Ｅｘｐｅｒｔ  Ｇｒｏｕｐ）方式などの圧縮形式によって圧縮する機能を有する。伸長部１０９は、圧縮されている画像データを伸長する機能を有する。例えば、画像データをＪＰＥＧ方式で圧縮する場合、まず、画像データの高周波成分と低周波成分の割合を数値化する離散コサイン変換処理が行われる（ＤＣＴ処理）。次に、画像の階調やグラデーションを表現する段階を数値（量子化ビット数）で表現する量子化処理が行われる。最後に、ハフマン符号化処理で画像データが圧縮される。
【００２１】
具体的には、画像データの信号文字列が一定のビット毎に区切られ、出現頻度が高い文字列に対してより短い符号が与えてられてゆく。なお、圧縮処理を行わないで画像データを記録する方式の場合は、圧縮部１０８および伸長部１０９を省略することができる。また、画像データの圧縮形式は、ＪＰＥＧ方式に限らず、ＧＩＦ（Ｇｒａｐｈｉｃａｌ  Ｉｎｔｅｒｃｈａｎｇｅ  Ｆｏｒｍａｔ）形式などであっても、同様に処理を行うことができる。
バッファメモリ１１１には、画像処理部１０４で画像処理が行われる際に、一時的に画像データが保存される。
フラッシュＲＯＭ１１２には、撮影装置１００の各種設定情報や、後述するユーザ情報等が保存される。
【００２２】
Ｉ／Ｆ回路１１３は、システムコントローラ１１０から出力される画像データを、メモリカード１１５に記録可能なデータ形式に変換する。また、Ｉ／Ｆ回路１１３は、メモリカード１１５から読み出された画像データ等を、システムコントローラ１１０で処理可能なデータ形式に変換する。
【００２３】
カードホルダ１１４は、記録媒体であるメモリカード１１５を撮影装置１００に着脱可能にする機構を備えると共に、メモリカード１１５との間でデータ通信が可能な電気接点を備える。また、カードホルダ１１４は、撮影装置１００で利用される記録媒体の種類に応じた構造を有する。
【００２４】
メモリカード１１５は、フラッシュメモリなどの半導体記憶素子を内蔵し、カードホルダ１１４に着脱可能なカード型の記録媒体である。メモリカード１１５には、撮影装置１００で撮影された画像データを記録することができる。
【００２５】
ディスプレイドライバ１１６は、システムコントローラ１１０から出力される画像データをディスプレイ１１７で表示可能な信号に変換する。具体的には、ディスプレイドライバ１１６は、システムコントローラ１１０から出力されるデジタルの画像データをアナログ画像信号に変換する処理を行い、次に画像サイズをディスプレイ１１７の表示可能エリアのサイズに適したサイズに変換する処理を行う。
【００２６】
サウンドドライバ１１８は、システムコントローラ１１０から出力される音声データをスピーカ２１９で鳴動可能な信号に変換する処理を行う。ＬＥＤ（Ｌｉｇｈｔ  Ｅｍｉｔｔｉｎｇ  Ｄｉｏｄｅ）ドライバ１２８は、システムコントローラ１１０から出力される
命令に従いランプ１２９の制御を行う。
【００２７】
操作部１２０は、電源スイッチ１２１、モードダイヤル１２２、撮影ボタン１２３、カーソルキー１２４、ズームボタン１２５、および閲覧（再生）ボタン１２６を備え、ユーザからの操作入力を受け付けて、操作内容に応じた信号をシステムコントローラ１１０に出力する。なお、操作部１２０には、図示の操作ボタン以外の操作ボタン類も含まれるが、それらの説明は省略する。
【００２８】
モードダイヤル（選択ボタン）１２２は、撮影動作のモードを切り替えるための回転可能なダイヤルである。ユーザはモードダイヤル１２２を操作することで、複数の撮影動作モードを選択することが可能である。なお、本発明の実施形態で、モードダイヤルは、ダイヤル式機構として記載をするが、例えば、ダイヤルではなくスライド式のボタンであってもよい。つまり、モードダイヤル１２２について、その機構はダイヤルに限定されず、カメラのモードを切り替えられるための機構を備えていることが本質である。
【００２９】
閲覧ボタン１２６は、撮影した画像データを閲覧する閲覧モード（再生モード）に切り替えるためのボタンである。閲覧ボタン１２６が押下されると、撮影モードから閲覧モードに移行する。なお、閲覧モードの切り替え方法については、前述のように、閲覧ボタン１２６の押下に限定されず、ディスプレイ１１７上のタッチパネル（不図示）などによる移行方法であってもよい。
【００３０】
閲覧モードでは、システムコントローラ１１０が、Ｉ／Ｆ回路１１３を介して、カードホルダ１１４に装着されているメモリカード１１５から設定情報と画像データを読み出す。設定情報は、現在装着されているＨＤＤ４１１またはメモリカード１１５に記録されている画像の枚数および記録されている画像データの容量などである。読み出される画像データは、例えば、画像１枚分の画像データまたはサムネイルデータである。なお、メモリカード１１５から読み出される画像データは、上述したように所定の圧縮形式で圧縮されている。
撮像装置にて取得した画像データはＨＤＤ（画像データ記憶手段）に記憶される。
【００３１】
メモリカード１１５から読み出された画像データは、Ｉ／Ｆ回路１１３およびシステムコントローラ１１０を介して、ディスプレイドライバ１１６へ入力される。ディスプレイ開示ドライバ１１６は、入力された画像データをディスプレイ１１７に表示させる。
【００３２】
カーソルキー１２４は、ユーザが撮影装置１００に対する所定の指示や機能選択を行うためのキーである。ユーザは、カーソルキー１２４により、撮影装置１００に対する各種設定情報やユーザ認証情報などの操作入力を行うことができる。
【００３３】
また、カーソルキー１２４により、ディスプレイ１１７にメニュー画面や撮影装置１００に対して各種設定情報を設定するための画面を表示したり、撮影装置１００が有する所定の機能を選択することができる。
【００３４】
さらに、カーソルキー１２４により、撮影装置１００で撮影された画像データをディスプレイ１１７上にプレビュー表示させることができる。プレビュー表示とは、撮影装置１００で撮影した画像を、その直後にディスプレイ１１７に表示させる機能である。
【００３５】
なお、プレビュー表示については、ディスプレイ１１７上に撮影した画像を１枚のみ表示する構成に限定されず、サムネイル画像を含む複数の画像を表示するように構成してもよい。また、プレビュー表示の切り替えについては、カーソルキー１２４の押下に限らず、他のボタンの押下などの一般的な方法を利用して切り替えられる構成にしてもよい。また、プレビュー表示画面で、プレビュー表示画像の削除や編集などが行えるように構成してもよい。
【００３６】
レンズ制御部１２７は、レンズ１０１のレンズに対して、ズーム、フォーカス、絞り等の制御を行う。また、撮影装置１００は、被写体を撮像して画像データを得る撮影モードと当該撮影モードで得た画像データを表示する閲覧（再生）モードとを備える。
【００３７】
なお、音声についてはマイクやスピーカを用いることで、撮影装置１００と同様に記録、及び再生が可能である。また、映像（動画）記録時には、通常音声記録も同時に行われ、圧縮部１０８および伸長部１０９で、映像と音声が多重化される。
【００３８】
また、撮影装置１００における撮影動作について説明する。まず、ユーザが電源スイッチ１２１を操作し、撮影装置１００の電源をＯＮにする。すると、撮影装置１００に内蔵されているバッテリー（不図示）から各回路へ電源供給されて、撮影装置１００の起動処理（レンズバリアを開く動作制御およびマイクロコンピューターのリセット処理など）が行われる。
【００３９】
撮影装置１００は、電源ＯＦＦ時に電源スイッチ１２１が押下されると電源ＯＮとなり、自動的に撮影モードとなるように構成されている。また、電源ＯＦＦ時に閲覧ボタンが押下されると電源ＯＮとなり、自動的に閲覧モードとなるように構成されている。
【００４０】
撮影装置１００が撮影モードに移行すると、光学画像がレンズ１０１を介して撮影装置１００内へ入射し、撮像素子（ＣＣＤ）１０２に結像される。ＣＣＤ１０２は、入射される光学画像を電気信号に変換して、カメラ信号処理部（ＡＤＣ）１０３へ出力する。ＡＤＣ１０３は、入力される電気信号（アナログ信号）をデジタル信号に変換する。ＡＤＣ１０３から出力されるデジタル信号は画像処理部１０４に入力される。
【００４１】
画像処理部１０４内の前処理部１０５では、入力されるデジタル信号に基づき画像データを生成し、ホワイトバランス処理およびガンマ補正処理などが行われる。画像処理部１０４内のＹＣ処理部１０６では、画像データが輝度信号Ｙと色差信号ＣｒおよびＣｂとに分離され、色差信号ＣｒおよびＣｂの情報量を減らす処理が行われる。
【００４２】
色差信号ＣｒおよびＣｂの情報量の削減処理は、例えば、画像の主走査方向の色情報を間引く「４：２：２ダウンサンプリング処理」や、画像の縦横方向の色情報を間引く「４：１：１ダウンサンプリング処理」などがある。なお、前処理部１０５およびＹＣ処理部１０６で画像処理を行う際は、画像データを一時的にバッファメモリ１１１に保存し、随時バッファメモリ１１１に保存されている画像データを読み出しながら画像処理が行われる。
【００４３】
画像処理部１０４から出力される画像データ（非圧縮）はシステムコントローラ１１０に入力される。システムコントローラ１１０は、画像処理部１０４から出力される画像データを、ディスプレイドライバ１１６へ出力する。
【００４４】
ディスプレイドライバ１１６は、入力される画像データ（デジタル信号）をアナログ画像信号に変換すると共に、アナログ画像信号に基づく画像のサイズをディスプレイ１１７で表示可能なサイズに調整する。
【００４５】
また、ディスプレイドライバ１１６は、ディスプレイ１１７に画像を表示させるよう制御する。このとき、ディスプレイ１１７に表示される画像は、ＣＣＤ１０２、ＡＤＣ１０３、および画像処理部１０４で、連続的に信号処理されて生成される画像（スルー画像）
である。
【００４６】
ディスプレイ１１７にスルー画像が表示されている状態で、ユーザが希望のタイミングで撮影ボタン１２３を操作すると、システムコントローラ１１０は画像処理部１０４に制御信号を出力する。画像処理部１０４に制御信号が入力されると、圧縮部１０８は、前処理部１０５およびＹＣ処理部１０６で画像処理された画像データをバッファメモリ１１１へ保存し、圧縮処理を行う。
【００４７】
具体的には、画像データの高周波成分と低周波成分の割合を数値化する離散コサイン変換処理（ＤＣＴ処理）や、画像の階調やグラデーションを表現する段階を量子化ビット数で表現する量子化処理や、画像データの信号文字列を一定のビット毎に区切り、出現頻度が高い文字列に対して、より短い符号を与えてゆくハフマン符号化処理などが実行される。圧縮された画像データは、システムコントローラ１１０およびディスプレイドライバ１１６を介してディスプレイ１１７に表示される。また、圧縮された画像データは、カードホルダ１１４を介してメモリカード１１５に記録される。
【００４８】
撮影ボタン１２３が操作される前にズームボタン１２５が操作されると、システムコントローラ１１０は光学ズーム処理や電子ズーム処理を実行し、画像の大きさを拡大または縮小させることができる。そして、ズームボタン１２５の操作後、撮影ボタン１２３が操作されると、拡大または縮小された画像の画像データがメモリカード１１５またはＨＤＤ（ハードディスクドライブ）４１１に記録される。
図２を説明する。
図２はシステムコントローラ１１０のハードウエア構成を示す図である。
【００４９】
４０１はＣＰＵで、システムバス４０４に接続される各デバイスやコントローラを統括的に制御する。また、ＲＯＭ４０２あるいは外部メモリ４１１には、ＣＰＵ４０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、各サーバ或いは各ＰＣの実行する機能を実現するために必要な後述する各種プログラム等が記憶されている。
【００５０】
４０３はＲＡＭで、ＣＰＵ４０１の主メモリ、ワークエリア等として機能する。ＣＰＵ４０１は、処理の実行に際して必要なプログラム等をＲＯＭ４０２あるいは外部メモリ４１１等からＲＡＭ４０３にロードして、該ロードしたプログラムを実行することで各種動作を実現するものである。
【００５１】
なお、表示部１１７は液晶ディスプレイ等の他の表示器であってもよい。これらは必要に応じて管理者が使用するものである。また表示部は指やペン等にてユーザが表示画面内の対象位置を指定するタッチパネル機能を含むものであってもよい。
【００５２】
４０７はメモリコントローラで、ブートプログラム，各種のアプリケーション，フォントデータ，ユーザファイル，編集ファイル，各種データ等を記憶するハードディスク（ＨＤ）や、フレキシブルディスク（ＦＤ）、或いはＰＣＭＣＩＡカードスロットにアダプタを介して接続されるコンパクトフラッシュ（登録商標）メモリ等の外部メモリ４１１へのアクセスを制御する。
【００５３】
４０８は通信Ｉ／Ｆコントローラで、ネットワーク（通信回線）を介して外部機器と接続・通信するものであり、ネットワークでの通信制御処理を実行する。例えば、ＴＣＰ／ＩＰを用いた通信等が可能である。
【００５４】
なお、ＣＰＵ４０１は、例えばＲＡＭ４０３内の表示情報用領域へアウトラインフォントの展開（ラスタライズ）処理を実行することにより、表示部１１７上での表示を可能としている。
以下本発明のユースケースの１例を説明する。
Ａさんはカメラの所有者である。
Ｂさんは所有者の妻である。
Ｃさんは所有者のカメラ仲間である。
【００５５】
ＡさんはＢさんとＣさんに自分のカメラ（全メモリ４ＧＢ）を貸すときにメモリ残量を配分したいが自分の写真は消したくない。Ｂさんは妻なので、もしＢさんに配分したメモリ残量が足らない時には自分の容量から一部追加したい。Ｃさんは友人なので、もしＣさん配分したメモリが足らない時に諦めてもらう。
（その１）配分の設定する。
Ａさんは貸す人のログインＩＤ（例えばＢさんやＣさん）を設定する。
ＡさんはＢさんに貸す（自由に使用可能な）容量（例えば１ＧＢ）を設定する。さらにここでは他人に貸せるメモリの残量を表示させてもいい。
ＡさんはＢさんが足らなかったときに消してもいい、既に撮影済みの画像をいくつか（例えば２００Ｍ分Ｂ）をメモリから選択する。
ＡさんはＢさんが万が一足らなかったときに消せるためのパスワード（例えば１２３４）を選択する。
設定を終了する。
（その２）Ｂさんがカメラレンタルした時
ＢさんはＡさんから教えてもらったログインＩＤでユーザ認証されるとカメラが１ＧＢ分だけ使用できるようになる。
Ｂさんは１ＧＢを使い切ると消せるためのパスワードが表示される。
ＢさんはＡさんから教えてもらった消せるためのパスワード（１２３４）を入力する。
Ａさんの２００ＭＢ  分の写真が削除され、Ｂさんの使用できる容量が２００ＭＢ分ＵＰするのでその分は追加で使用できるようになる。
（その３）Ｃさんがカメラをレンタルした時
ＣさんはＡさんから教えてもらったログインＩＤでユーザ認証されるとカメラが１ＧＢ分だけ使用できるようになる。
Ｃさんは１ＧＢを使いきっても消せるためのパスワード入力画面が表示されず終了する。または画面が表示されても教えてもらっていないので追加できない。
（その４）所有者Ａさんが使用時
自分のログインＩＤでユーザ認証されるのでいつも通り自由に使える。
図３を説明する。
図３は本発明における撮像装置が表示する、処理する際の操作画面の遷移を示した図である。
３０１は、ＩＤを設定する画面の一例である。
３０２は、設定されたＩＤに対して、使用可能メモリに制限のない所有者か使用可能メモリに制限のある借用者かを設定する画面の一例である。
３０３は、使用しているデジタルカメラの現状のメモリ使用状況を示す画面の一例である。
３０４は、設定されたＩＤに対して、使用可能なメモリ量を設定する画面の一例である。
３０５は、設定されたＩＤに対して、使用可能なメモリ量を使いきった際に更にメモリの使用を許可するかを設定する画面の一例である。
３０６は、設定されたＩＤに対して、更にメモリを使用する場合に入力するパスワードを設定する画面の一例である。
図４を説明する。
図４は、本発明の撮像装置の画面遷移の一例を示す図である。
４０１は、デジタルカメラを利用する際に、ＩＤを入力する画面の一例である。
４０２は、デジタルカメラを利用する際に入力されたＩＤが使用出来るメモリ量を表示する画面の一例である。
図５を説明する。
図５は、本発明の撮像装置の画面遷移の一例を示す図である。
【００５６】
５０１は、デジタルカメラを利用する際に入力されたＩＤが使用出来るメモリ量を全て使いきった際、更にメモリを使用するためにパスワードを入力する画面の一例である。
図６を説明する。
図６は、本発明の実施形態を表すために撮像装置１００のＣＰＵ４０１が実行するフローチャートである。
ステップＳ１０１において撮像装置１００は、メモリを他人に貸し出すか否かの設定を行い、メモリを他人に貸し出すための処理フローを開始する。
【００５７】
ステップＳ１０２において撮像装置１００は、ステップＳ１０１にて設定されたメモリを他人に貸し出すか否かの判別を行う。メモリを他人に貸し出すと検知した場合は、ステップＳ１０３へ移行する。一方検知しなかった場合は、ステップＳ１１０に移行する。
ここで撮像装置１００は貸与モードを設定するかを受け付ける。設定するを受け付けた場合には、貸与モードをＯＮ（設定中）にして管理する。
【００５８】
ステップＳ１０３において撮像装置１００は、ユーザにログインＩＤ（ユーザ情報）の入力を促し、入力されたＩＤが使用メモリに制限のない所有者か、使用メモリに制限がある借用者なのかをユーザに設定させる。画面の一例を図３に示す。
ここで撮像装置１００は撮像装置を使用するユーザ情報を受け付ける（受付手段）。
【００５９】
ステップＳ１０４において撮像装置１００は、ステップＳ１０３で入力されたＩＤが所有者か借用者なのかを判別する。所有者であると検知した場合は、ステップＳ１０５へ移行する。一方借用者であると検知した場合は、ステップＳ１０６へ移行する。
ここで撮像装置１００はステップＳ１０３において受け付けたユーザ情報が、ユーザ情報管理手段（図９）に管理されているかを認証する（認証手段）。
ステップＳ１０５において撮像装置１００は、所有者であることを確認するためのパスワードの入力をユーザに促す。画面の一例を図３に示す。
【００６０】
ここで撮像装置１００はステップＳ１０４において撮像装置１００の管理者であると認証される場合に、パスワード情報管理手段が管理する画像データとパスワード情報と指定する画面（図４の３０６）を表示する（パスワード情報指定手段）。
【００６１】
ステップＳ１０６において撮像装置１００は、ステップＳ１０３で入力したＩＤに対して、ユーザに使用可能メモリ量を設定させる。また、設定したメモリ量を使いきった際に更にメモリの使用を許可するかを設定させる。画面の一例を図３に示す。
【００６２】
ステップＳ１０７において撮像装置１００は、ステップＳ１０６で使用可能メモリを使いきった際に、更にメモリの使用を許可するかどうかの設定の判別を行う。更にメモリの使用を許可する設定であると検知した場合はステップＳ１０８へ移行する。一方更にメモリの使用を許可しない設定であると検知した場合はステップＳ１１０へ移行する。
ステップＳ１０８において撮像装置１００は、更にメモリの使用を行うためのパスワードの入力をユーザに促す。画面の一例を図３に示す。
ステップＳ１０９において撮像装置１００は、メモリを全て使いきった際に、メモリの空き容量を増やす為に自動で削除を行うデータの選択をユーザに促す。
ステップＳ１１０において撮像装置１００は、メモリを他人に貸し出すための処理フローを終了する。
図７を説明する。
図７は、本発明の実施形態を表すために撮像装置１００のＣＰＵ４０１が実行するフローチャートである。
ステップＳ２０１において撮像装置１００は、デジタルカメラをユーザが使用する際の処理フローを開始する。
【００６３】
ステップＳ２０２において撮像装置１００は、デジタルカメラ内にステップＳ１０１にてメモリを他人に貸し出すか否かの設定が行われているかを判別する。メモリを他人に貸し出す設定がされていると検知した場合はステップＳ２０３へ移行する。一方メモリを他人に貸し出す設定がされていないと検知した場合はステップＳ２０８へ移行する。
【００６４】
ここで撮像装置１００はモード管理手段参照し、貸与モードが現在設定中であるかを判断する。現在設定中である場合（ＹＥＳ）にはステップＳ２０３に進む。現在設定中でない場合（ＮＯ）にはステップＳ２０８に進む。
ステップＳ２０３において撮像装置１００は、ユーザにログインＩＤ（ユーザ情報）の入力を促す。画面の一例を図４に示す。
ここで撮像装置１００は撮像装置を使用するユーザ情報を受け付ける（受付手段）。
ここで撮像装置１００はステップＳ２０３において受け付けたユーザ情報が、ユーザ情報管理手段（図９）に管理されているかを認証する（認証手段）。
【００６５】
ステップＳ２０４において撮像装置１００は、ステップＳ２０３にて入力されたＩＤが、ステップＳ１０３で所有者（管理者）と借用者のどちらが設定されたかを判別する。所有者と検知した場合はステップＳ２０６へ移行する。一方借用者であると検知した場合はステップＳ２０５へ移行する。
【００６６】
ここで撮像装置１００はステップＳ２０３において受け付けたユーザ情報に従って前記管理者情報管理手段（図９の９０３）に管理されている管理者であるかを認証する（管理者認証手段）。
ステップＳ２０５において撮像装置１００は、使用メモリに制限がある状態でデジタルカメラの使用をユーザに提供する。画面の一例を図４に示す。
ステップＳ２０６において撮像装置１００は、所有者であることを確認するためのパスワードの入力をユーザに促す。
ステップＳ２０７において撮像装置１００は、使用メモリに制限がない状態でデジタルカメラの使用をユーザに提供する。
ステップＳ２０８において撮像装置１００は、デジタルカメラをユーザが使用する際の処理フローを終了する。
図８を説明する。
図８は、本発明の実施形態を表すために撮像装置１００のＣＰＵ４０１が実行するフローチャートである。
ステップＳ３０１において撮像装置１００は、メモリ容量が一杯になった際の処理フローを開始する。
【００６７】
ステップＳ３０２において撮像装置１００は、デジタルカメラ内にステップＳ１０１にてメモリを他人に貸し出すか否かの設定が行われているかを判別する。メモリを他人に貸し出す設定がされていると検知した場合はステップＳ３０３へ移行する。一方メモリを他人に貸し出す設定がされていないと検知した場合はステップＳ３０５へ移行する。
【００６８】
ステップＳ３０３において撮像装置１００は、ステップＳ２０３で入力されたＩＤが所有者または借用者なのかの判別を行う。所有者と検知した場合はステップＳ３０５へ移行する。一方借用者と検知した場合はステップＳ３０４へ移行する。
【００６９】
ステップＳ３０４において撮像装置１００は、ステップＳ２０３で入力されたＩＤがステップＳ１０６で更にメモリの使用の許可を設定されているかの判別を行う。更にメモリの使用が許可されていないと検知した場合はステップＳ３０６へ移行する。一方更にメモリの使用が許可されていると検知した場合はステップＳ３０７へ移行する。
【００７０】
ここで撮像装置１００はステップＳ２０３において認証したユーザによりＨＤＤ（画像データ記憶手段）に逐次記憶された容量が、ユーザ情報管理手段（図９）に管理されているユーザ別使用容量に到達または超過するかを判定する（使用容量判定手段）。
【００７１】
ステップＳ３０４において到達または超過する（ＹＥＳ）と判定される場合には、ステップＳ３０７において受付手段がパスワード情報を受け付けるための画面（図５の５０１）を表示する（パスワード情報受付手段）。
ステップＳ３０４において到達または超過しない（ＮＯ）と判定される場合には、ステップＳ３０６に進む。
ステップＳ３０５において撮像装置１００は、メモリに保存されている全てのデータの中から任意のデータを削除して空きメモリを作ることをユーザに促す。
【００７２】
ステップＳ３０６において撮像装置１００は、ステップＳ２０３で入力したＩＤが使用したメモリに保存されているデータの中から任意のデータを削除して空きメモリを作ることをユーザに促す。
【００７３】
ステップＳ３０７において撮像装置１００は、更にメモリの使用を許可するためのパスワード（パスワード情報）の入力をユーザに促す。画面の一例を図５に示す。
ここで撮像装置１００は画像データの消去を実行するためパスワード情報を受け付ける（受付手段）。
ここで撮像装置１００はステップＳ３０７において受け付けたパスワード情報がパスワード情報管理手段に管理されているかを認証する（認証手段）。
【００７４】
ステップＳ３０８において撮像装置１００は、デジタルカメラ上に空きメモリが存在するかを判別する。空きメモリが存在すると検知した場合は、ステップＳ３０９に移行する。一方空きメモリが存在しないと検知した場合は、ステップＳ３１０に移行する。
ステップＳ３０９において撮像装置１００は、デジタルカメラ上にある空きメモリを利用する。
ステップＳ３１０において撮像装置１００は、ステップＳ１０９にて設定したデータを自動で削除（消去）して空きメモリを作る。
【００７５】
ここで撮像装置１００はステップＳ２０３及びステップＳ３０７の認証によってそれぞれ管理されていると認証される場合には、ＨＤＤ（画像データ記憶手段）からパスワード情報管理手段（図９）が管理するパスワード情報に対応づけられている画像データの消去を実行し、かつ、受け付けたユーザ情報に該当しユーザ情報管理手段（図９）が管理するユーザに配分されているユーザ別使用容量に、消去が実行された画像データの容量を追加した新規のユーザ別の使用容量を許可する（使用許可手段）。
ステップＳ３１１において撮像装置１００は、メモリ容量が一杯になった際の処理フローを終了し、デジタルカメラでのデータ保存処理を継続させる。
図９を説明する。
【００７６】
上段のデータテーブルで、ＨＤＤ（画像データ記憶手段）に記憶許可する容量を、撮像装置を使用するユーザ毎に配分したユーザ別使用容量を管理している（ユーザ情報管理手段）。
なお、ユーザ情報管理手段が管理するユーザ別使用容量は撮像装置の中に内蔵されているＨＤＤ（画像データ記憶手段）に記憶する容量である。
９０３では、撮像装置１００の管理者（所有者）情報を管理している（管理者情報管理手段）。
【００７７】
中段のデータテーブルで、ＨＤＤ（画像データ記憶手段）に記憶されている画像データから消去される画像データと、当該画像データの消去を実行するためのパスワード情報とを対応づけて管理する（パスワード情報管理手段）。
下段のデータテーブルで、貸与モードが設定されているかを管理している（モード管理手段）。
【００７８】
また、本発明におけるプログラムは、図６乃至図８に示すフローチャートの処理方法をＣＰＵ４０１が実行可能なプログラムであり、本発明の記憶媒体は図６乃至図８の処理方法をＣＰＵ４０１が実行可能なプログラムとして、撮像装置１００のＲＯＭ１１２に記憶されている。
【００７９】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読出し実行することによっても、本発明の目的が達成されることは言うまでもない。
【００８０】
この場合、記録媒体から読み出されたプログラム自体が本発明の新規な機能を実現することになり、そのプログラムを記憶した記録媒体は本発明を構成することになる。
【００８１】
プログラムを供給するための記録媒体としては、例えば、フレキシブルディスク，ハードディスク，光ディスク，光磁気ディスク，ＣＤ−ＲＯＭ，ＣＤ−Ｒ，ＤＶＤ−ＲＯＭ，磁気テープ，不揮発性のメモリカード，ＲＯＭ，ＥＥＰＲＯＭ，シリコンディスク等を用いることができる。
【００８２】
また、ＣＰＵ４０１が読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００８３】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００８４】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【００８５】
さらに、本発明を達成するためのプログラムをネットワーク上のサーバ，データベース等から通信プログラムによりダウンロードして読み出すことによって、そのシステムあるいは装置が、本発明の効果を享受することが可能となる。
なお、上述した各実施形態およびその変形例を組み合わせた構成も全て本発明に含まれるものである。
【符号の説明】
【００８６】
１００  撮像装置（デジタルカメラまたはデジタルビデオカメラ）
１１０  ＣＰＵ
１１２  ＲＯＭ
１１１  ＲＡＭ（記憶部）
４１１  外部メモリ（記憶部）
【図１】
2015102885.tif 000003
【図２】
2015102885.tif 000004
【図３】
2015102885.tif 000005
【図４】
2015102885.tif 000006
【図５】
2015102885.tif 000007
【図６】
2015102885.tif 000008
【図７】
2015102885.tif 000009
【図８】
2015102885.tif 000010
【図９】
2015102885.tif 000011